(57)【要約】【課題】  自動復旧装置に対する設定ミスを防止することを可能にする自動復旧支援システムを提供する。【解決手段】  電力系統の超高圧変電所Ａ１〜Ａｎおよび変電所Ｂ１〜Ｄｎに設置されている複数の遮断器と、遮断器に対応して設けられ、送電線の送電端側の遮断器を復旧の際に投入するための送電条件および送電線の受電端側の遮断器を復旧の際に投入するための受電条件の中の１つが設定され、設定された条件を基に遮断器の投入を制御する自動復旧装置と、電力系統の各送電線に対する潮流を調べる支援装置１０とを備え、支援装置１０は、変電所の各自動復旧装置に設定されている条件が適切であるかどうかを、変電所に設けられている各送電線の潮流を基にして判定し、設定されている条件が不適切である場合に警報を出力する処理を行う。【選択図】  図１
2013187952.tif 000002
【特許請求の範囲】
【請求項１】
電力系統の電気所に設置されている複数の遮断器と、
前記電気所の遮断器に対応して設けられ、送電線の送電端側の前記遮断器を復旧の際に投入するための送電条件および送電線の受電端側の前記遮断器を復旧の際に投入するための受電条件の中の１つが設定され、設定された前記条件を基に前記遮断器の投入を制御する自動復旧装置と、
前記電力系統の各送電線に対する潮流を調べる支援装置と、
を備え、
前記支援装置は、前記電気所の各自動復旧装置に設定されている条件が適切であるかどうかを、前記電気所に設けられている各送電線の潮流を基にして判定し、設定されている条件が不適切である場合に警報を出力する処理を行う、
ことを特徴とする自動復旧支援システム。
【請求項２】
前記支援装置は、前記処理を前記各潮流に沿ってそれぞれの電気所について行う、
ことを特徴とする請求項１に記載の自動復旧支援システム。
【請求項３】
前記支援装置は、前記警報を表すメッセージを、系統運用者の携帯端末に送信する、
ことを特徴とする請求項１または２に記載の自動復旧支援システム。
【請求項４】
前記支援装置は、送電線の送電端側まで実際の電気の流れとは逆向きの電源端を発見して、電源端からの前記自動復旧装置の送受電端設定が、送電線や変圧器等の電気が通過するブランチで、電気が流れ出す側が送電端、電気を受電する側が受電端となって、健全な設定となっているか確認する、ことを特徴とする請求項１〜３のいずれか１項に記載の自動復旧支援システム。
【発明の詳細な説明】
【技術分野】
【０００１】
この発明は、自動復旧装置に対する設定を支援する自動復旧支援システムに関する。
【背景技術】
【０００２】
電力系統では、変電所から次の変電所へ送電線により電気が送られる。例えば、落雷等で送電線に短絡事故が発生すると、変電所では、この短絡事故を送電線リレーが検出する。そして、このリレーが遮断器を動作させることにより、短絡事故が発生した送電線による送電が停止する。所定時間の経過後に、送電を再開するために、電力系統の状況を基に自動復旧装置（ＡＲＥ：Ａｕｔｏｍａｔｉｃ  Ｒｅｃｌｏｓｅ  Ｅｑｕｉｐｍｅｎｔ）が遮断器を自動的に投入して、送電線による送電が再開する（例えば、特許文献１参照。）。つまり、送電線、母線といった系統運用上、比較的頻度の高い事故が発生した場合には、自動復旧装置が送電を自動復旧している。
【０００３】
例えば図８に示すように、自動復旧装置２０１、２０２および自動復旧装置２１１、２１２は、変電所の母線２０３、２１３に電気があるか、送電線２２１、２２２に電気があるか等の、電気の状況を基に動作する。電気の状況は、母線側や送電線側に設置されている計測用変圧器（ＰＴ）が検出した電圧を基にしている。送電線２２１、２２２に送電する場合には、つまり、送電線２２１、２２２の送電端に電気を送る場合には、
ａ．母線側に電気があり、かつ、送電線側に電気がない
という送電条件が自動復旧装置２０１、２０２に設定されている。そして、電気の状況を基に送電条件が成立したときに、自動復旧装置２０１、２０２は、遮断器２０３や遮断器２０４を自動投入する。
【０００４】
また、送電線２２１、２２２から受電する場合には、つまり、送電線２２１、２２２の受電端で電気を受ける場合には、
ｂ．送電線側に電気があり、かつ、母線側に電気がない
という受電条件が自動復旧装置２１１、２１２に設定されている。そして、電気の状況を基に受電条件が成立したときに、自動復旧装置２１１、２１２は、遮断器２１３や遮断器２１４を自動投入する。
【０００５】
通常、電力系統では、超高圧変電所の母線から連系されている送電線、変圧器を電源端とし、末端である負荷端まで送電される。こうした電力系統の送電線では、電源端の超高圧変電所に近い方が送電端であり、遠い方が受電端となる。
【０００６】
こうした電気の状況を基にした、自動復旧装置２０１、２０２および自動復旧装置２１１、２１２による自動復旧条件（送電条件・受電条件）を基にした自動復旧機能により、落雷等で例えば送電線２２１が停電したときには、一定時限の経過後に自動復旧装置２０１および自動復旧装置２１１によって遮断器２０３、２１３を自動投入し、送電線２２１を自動的に復旧している。
【先行技術文献】
【特許文献】
【０００７】
【特許文献１】特開昭６３−１００９号公報
【発明の概要】
【発明が解決しようとする課題】
【０００８】
ところで、先に述べた自動復旧装置による送電線の自動復旧には、次の課題がある。例えば先の図８に示すケースでは、送電端側の自動復旧装置２０１、２０２に対する送電条件の設定や、受電端側の自動復旧装置２１１、２１２に対する受電条件の設定は、系統運用者により行われている。具体的には、送電線が電源端側であれば、系統運用者のスイッチ操作により、自動復旧装置２０１、２０２を送電端に設定し、負荷端側であれば、自動復旧装置２０１、２０２を受電端に設定する。スイッチ操作による設定により、自動復旧装置２０１、２０２や自動復旧装置２１１、２１２に対して、自動復旧条件（送電条件・受電条件）が設定されるので、遮断器２０３、２０４や遮断器２１３、２１４の投入による自動復旧が行われる。
【０００９】
しかし、系統運用者の失念等により、設定ミスが発生すると、自動復旧装置２０１、２０２および自動復旧装置２１１、２１２は、遮断器２０３、２０４や遮断器２１３、２１４を自動投入しないので、自動復旧が行われなくなる。例えば、自動復旧装置２０１、２０２の設定を受電端にすると、電気の状況が、
母線側に電気があり、かつ、送電線側に電気がない、
という場合でも、条件が不成立となり、自動復旧装置２０１、２０２による自動復旧ができなくなる。
【００１０】
この発明の目的は、前記の課題を解決し、自動復旧装置に対する設定ミスを防止することを可能にする自動復旧支援システムを提供することにある。
【課題を解決するための手段】
【００１１】
前記の課題を解決するために、請求項１の発明は、電力系統の電気所に設置されている複数の遮断器と、前記電気所の遮断器に対応して設けられ、送電線の送電端側の前記遮断器を復旧の際に投入するための送電条件および送電線の受電端側の前記遮断器を復旧の際に投入するための受電条件の中の１つが設定され、設定された前記条件を基に前記遮断器の投入を制御する自動復旧装置と、前記電力系統の各送電線に対する潮流を調べる支援装置と、を備え、前記支援装置は、前記電気所の各自動復旧装置に設定されている条件が適切であるかどうかを、前記電気所に設けられている各送電線の潮流を基にして判定し、設定されている条件が不適切である場合に警報を出力する処理を行う、ことを特徴とする自動復旧支援システムである。
【００１２】
請求項１の発明では、電力系統の電気所に設置されている複数の遮断器と、自動復旧装置と、電力系統の各送電線に対する潮流を調べる支援装置とで自動復旧支援システムが構成されている。自動復旧装置は、電気所の遮断器に対応して設けられ、送電線の送電端側の遮断器を復旧の際に投入するための送電条件および送電線の受電端側の遮断器を復旧の際に投入するための受電条件の中の１つが設定され、設定された条件を基に遮断器の投入を制御する。また、支援装置は、電気所の各自動復旧装置に設定されている条件が適切であるかどうかを、電気所に設けられている各送電線の潮流を基にして判定する。そして、支援装置は、設定されている条件が不適切である場合に警報を出力する処理を行う。
【００１３】
請求項２の発明は、請求項１に記載の自動復旧支援システムにおいて、前記支援装置は、前記処理を前記各潮流に沿ってそれぞれの電気所について行う、ことを特徴とする。
【００１４】
請求項３の発明は、請求項１または２に記載の自動復旧支援システムにおいて、前記支援装置は、前記警報を表すメッセージを、系統運用者の携帯端末に送信する、ことを特徴とする。
【００１５】
請求項４の発明は、請求項１〜３のいずれか１項に記載の自動復旧支援システムにおいて、前記支援装置は、送電線の送電端側まで実際の電気の流れとは逆向きの電源端を発見して、電源端からの前記自動復旧装置の送受電端設定が、送電線や変圧器等の電気が通過するブランチで、電気が流れ出す側が送電端、電気を受電する側が受電端となって、健全な設定となっているか確認する、ことを特徴とする。
【発明の効果】
【００１６】
請求項１の発明によれば、自動復旧装置の設定を潮流の状況に応じて認識し、設定が不適切であると、警報を出して知らせることができる。これにより、誤認による誤操作や操作忘れ等のヒューマンエラーを防止することができる。
【００１７】
請求項２の発明によれば、各自動復旧装置に対する設定を、電力系統の全体についてチェックすることが可能である。
【００１８】
請求項３の発明によれば、支援装置から離れた所に系統運用者がいても、この系統運用者に対して警報を知らせることができる。
【００１９】
請求項４の発明によれば、送電線の送電端側まで実際の電気の流れとは逆向きの電源端を発見した場合に、送電端および受電端が健全な設定となっているか確認することができる。
【図面の簡単な説明】
【００２０】
【図１】この発明の実施の形態１による自動復旧支援システムを示す構成図である。
【図２】変電所の構成を示す図である。
【図３】潮流図の一例を示す図である。
【図４】復旧支援処理の一例を示すフローチャートである。
【図５】条件判定処理の一例を示すフローチャートである。
【図６】条件判定処理の一例を示すフローチャートである。
【図７】条件判定処理の一例を示すフローチャートである。
【図８】自動復旧装置による遮断器の自動投入を説明する図である。
【発明を実施するための形態】
【００２１】
次に、この発明の各実施の形態について、図面を用いて詳しく説明する。
【００２２】
（実施の形態１）
この実施の形態による自動復旧支援システムを図１に示す。この実施の形態による自動復旧支援システムは、制御所に設置されている支援装置１０と、電気所が５００ｋＶの超高圧変電所Ａ１〜Ａｎおよび２２０ｋＶ等の変電所Ｂ１〜Ｄｎである場合に、超高圧変電所Ａ１〜Ａｎおよび変電所Ｂ１〜Ｄｎにそれぞれ設置されている、後述の各装置等とを備えている。自動復旧支援システムでは、超高圧変電所Ａ１〜Ａｎ、変電所Ｂ１〜Ｄｎが通信網ＮＷにより制御所の支援装置１０と接続されている。これにより、超高圧変電所Ａ１〜Ａｎや変電所Ｂ１〜Ｄｎと制御所の支援装置１０との間で、各種データが送受信される。
【００２３】
変電所Ｂ１の一例を図２に示す。図２は変電所Ｂ１を概念的に表したものである。変電所Ｂ１には、送電線１０１Ａ、１０１Ｂおよび送電線１０２Ａ、１０２Ｂが設けられている。変電所Ｂ１は、送電線１０１Ａ、１０１Ｂからの電気を降圧して送電線１０２Ａ、１０２Ｂに送る。つまり、送電線１０１Ａ、１０１Ｂから受電した電気を、母線等を経て送電線１０２Ａ、１０２Ｂに送電している。変電所Ｂ１は、送電線１０１Ａ、１０１Ｂの受電端側に設けられている遮断器２１Ａ、２１Ｂと、送電線１０２Ａ、１０２Ｂの送電端側に設けられている遮断器２２Ａ、２２Ｂとを備えている。また、変電所Ｂ１は、短絡事故等で開いた遮断器２１Ａ、２１Ｂよび遮断器２２Ａ、２２Ｂを自動的に復旧する自動復旧装置（ＡＲＥ）２３Ａ、２３Ｂおよび自動復旧装置２４Ａ、２４Ｂを備えている。なお、図２の中で、各矢印は電気の流れを表している。
【００２４】
通常、超高圧変電所の母線から連系されている送電線、変圧器を電源端とし、変電所Ｂ１〜Ｄｎを経て、末端である負荷端まで送電される。こうした電力系統の送電線においては、電源端の超高圧変電所Ａ１〜Ａｎに近い側が送電端であり、遠い方が受電端となる。多端子送電線においては、電源端は一箇所であるが、その他の端子は受電端となる。また、経路の途中に発電機があり、その出力で潮流の向きが変化する場合に、発電機が系統に並列に接続されていれば、電源端となる場合がある。この場合には、電源端が複数となるが、送電線を速く充電した方が基準となり、位相を見て位相差が一定値以内であれば、再閉路にするような仕組みとすることで、誤操作を防止している。
【００２５】
自動復旧装置２３Ａ、２３Ｂおよび自動復旧装置２４Ａ、２４Ｂは、図８の自動復旧装置２０１、２０２および自動復旧装置２１１、２１２と同様である。繰り返しになるが、自動復旧装置２３Ａ、２３Ｂおよび自動復旧装置２４Ａ、２４Ｂは、変電所の母線に電気があるか、送電線１０１Ａ、１０１Ｂおよび送電線１０２Ａ、１０２Ｂに電気があるか等の、電気の状況を基に動作する。電気の状況は、送電線１０１Ａ、１０１Ｂおよび送電線１０２Ａ、１０２Ｂの電圧を基にしている。送電線１０２Ａ、１０２Ｂに送電する場合には、
ａ．母線側に電気があり、かつ、送電線側に電気がない
という送電条件が自動復旧装置２４Ａ、２４Ｂに設定されている。そして、電気の状況を基に送電条件が成立したときに、自動復旧装置２４Ａ、２４Ｂは、遮断器２２Ａや遮断器２２Ｂを自動投入する。
【００２６】
また、送電線１０１Ａ、１０１Ｂから受電する場合には、
ｂ．送電線側に電気があり、かつ、母線側に電気がない
という受電条件が自動復旧装置２３Ａ、２３Ｂに設定されている。そして、電気の状況を基に受電条件が成立したときに、自動復旧装置２３Ａ、２３Ｂは、遮断器２１Ａや遮断器２１Ｂを自動投入する。
【００２７】
また、変電所Ｂ１は、検出部２５Ａ、２５Ｂおよび検出部２６Ａ、２６Ｂを備えている。検出部２５Ａ、２５Ｂおよび検出部２６Ａ、２６Ｂは、線路ＰＤ（計測用変圧器）２５Ａ１、２５Ｂ１、２６Ａ１、２６Ｂ１、母線ＰＤ２５Ａ２、２５Ｂ２、２６Ａ２、２６Ｂ２や計器用変流器（図示を省略）を備え、送電線１０１Ａ、１０１Ｂおよび送電線１０２Ａ、１０２Ｂや各母線の電圧や電流をそれぞれ計測する。そして、検出部２５Ａ、２５Ｂおよび検出部２６Ａ、２６Ｂは、電圧や電流の検出結果を自動復旧装置２３Ａ、２３Ｂおよび自動復旧装置２４Ａ、２４Ｂに、双方向通信により送信する。
【００２８】
さらに、変電所Ｂ１は、通信部２７を備えている。通信部２７は、自動復旧装置２３Ａ、２３Ｂおよび自動復旧装置２４Ａ、２４Ｂに設定されている自動復旧条件（送電条件・受電条件）、自動復旧装置２４Ａ、２４Ｂから双方向通信で受信した、検出部２５Ａ、２５Ｂおよび検出部２６Ａ、２６Ｂによる電圧・電流の検出結果、遮断器２１Ａ、２１Ｂおよび遮断器２２Ａ、２２Ｂの開閉状態を、定期的に通信網ＮＷに送信する。
【００２９】
以上が変電所Ｂ１の構成であるが、超高圧変電所Ａ１〜Ａｎや、他の変電所についても、変電所Ｂ１と同様であるので、これらの説明を省略する。また、超高圧変電所Ａ１〜Ａｎや、他の変電所の装置等については、図２と同様の符号を用いる。
【００３０】
制御所に設置されている支援装置１０は、通信部１１、入力部１２、表示部１３、処理部１４および記憶部１５を備えている。通信部１１は、通信網ＮＷを経て、超高圧変電所Ａ１〜Ａｎや変電所Ｂ１〜Ｄｎの通信部２７と各種データの送受信を行う。入力部１２は、処理部１４に対して各種指示を入力するための装置である。各種指示として、潮流図の表示等がある。表示部１３は、各種データなどを表示する装置である。表示部１３が表示するデータには、潮流図等がある。
【００３１】
記憶部１５は、各種のデータを記憶する記憶装置である。記憶部１５が記憶するデータとして、超高圧変電所Ａ１〜Ａｎおよび変電所Ｂ１〜Ｄｎの各設備を表す設備データがある。この設備データにより、例えば変電所Ｂ１では、遮断器として、遮断器２１Ａ、２１Ｂおよび遮断器２２Ａ、２２Ｂが設置されていることが判明する。自動復旧装置や検出部についても同様である。また、記憶部１５は、支援装置１０に必要とする各種プログラムをあらかじめ記憶している。
【００３２】
支援装置１０の処理部１４は、記憶部１５に記憶されているプログラムを実行する。処理部１４が実行するプログラムには、データ収集処理がある。処理部１４は、データ収集処理を開始すると、通信部１１を制御して、超高圧変電所Ａ１〜Ａｎおよび変電所Ｂ１〜Ｄｎから、電圧・電流の検出結果と、遮断器２１Ａ、２１Ｂおよび遮断器２２Ａ、２２Ｂの開閉状態とを、通信網ＮＷを経て定期的に受信する。
【００３３】
この後、処理部１４は、収集したデータを基に、超高圧変電所Ａ１〜Ａｎおよび変電所Ｂ１〜Ｄｎによる潮流を、電圧・電流の検出結果から調べ、電力系統の各潮流および各遮断器の開閉等を表す潮流図データを作成する。そして、入力部１２に対する指示により、処理部１４は、表示部１３を制御し、潮流図データを基に潮流図を表示する。潮流図の一例を図３に示す。この潮流図は、超高圧変電所Ａ１〜Ａｎから負荷端に至るまでの経路の潮流（以下、単に「潮流」という）を表している。例えば、超高圧変電所Ａ１から変電所Ｄ１に至る経路を流れる電気は、超高圧変電所Ａ１からの放射状の流れ（以下、「放射系統」という）に形成され、その中の１つの潮流が潮流Ｆ１である。また、超高圧変電所Ａ１と変電所Ｂ２と変電所Ｂ３と超高圧変電所Ａ２とを経て形成される、ループ状の流れ（以下、「ループ系統」という）が潮流Ｆ２である。
【００３４】
また、処理部１４が実行するプログラムには、復旧支援処理がある。処理部１４は、図４に示す復旧支援処理を開始すると、データ収集処理で作成した潮流図から、超高圧変電所Ａ１〜Ａｎを始点とする各潮流を調べて（ステップＳ１）、その中の１つを選択する（ステップＳ２）。潮流図が図３である場合、処理部１４は例えば潮流Ｆ１を選択する。この後、処理部１４は、ステップＳ２で選択した潮流が放射系統であるかどうかを判定する（ステップＳ３）。ステップＳ３で潮流が放射系統である場合、自動復旧装置に設定されている条件が適切かどうかを調べる条件判定処理を行う（ステップＳ４）。ステップＳ４が終了すると、処理部１４は、ステップＳ１で調べた各潮流の中で未選択の潮流があるかどうかを判定する（ステップＳ５）。ステップＳ５で未選択の潮流があると、処理部１４は、未選択の潮流の中から１つの潮流を選択して（ステップＳ６）、処理をステップＳ３に戻す。
【００３５】
一方、ステップＳ３で潮流が放射系統ではなくループ系統である場合、ループ形成により、受電と送電が逆になる系統構成が発生するので、処理部１４は復旧支援処理を終了する。また、ステップＳ５で未選択の潮流がなければ、処理部１４は復旧支援処理を終了する。
【００３６】
こうした復旧支援処理により、潮流が放射系統であると、処理部１４は、各自動復旧装置に設定されている条件が超高圧変電所Ａ１〜Ａｎでの送電条件から始り、この後、潮流に沿った各変電所では受電条件、送電条件の順に推移し、負荷端側の変電所では受電条件で終わる、ということを確認する。
【００３７】
処理部１４は、復旧支援処理のステップＳ４では、図４、図５および図６に示す条件判定処理を行う。処理部１４は、条件判定処理を開始すると、ステップＳ２で選択した潮流の最上流側にある電気所を選択する（ステップＳ１１）。ステップＳ１１で、処理部１４は、例えば、潮流図が図３である場合、ステップＳ２で選択した潮流が潮流Ｆ１であると、超高圧変電所Ａ１を選択する。この後、処理部１４は、ステップＳ１１で選択した電気所に設置されている遮断器であって、電源から電気を送電線に送る側の遮断器を、設備データを基に全て抽出する（ステップＳ１２）。潮流図が図３である場合、例えばステップＳ１１で超高圧変電所Ａ１が選択されると、処理部１４は超高圧変電所Ａ１の遮断器２２Ａ、２２Ｂを抽出する。この後、処理部１４は、ステップＳ１２で選択した遮断器の中から最初の遮断器を選択する（ステップＳ１３）。例えば電気所が超高圧変電所Ａである場合、遮断器２２Ａが選択される。
【００３８】
この後、処理部１４は、ステップＳ１３で選択した遮断器を自動復旧するための自動復旧装置を設備データから選択する（ステップＳ１４）。例えば、ステップＳ１１で選択した電気所が超高圧変電所Ａ１である場合、処理部１４は、該当する自動復旧装置として、自動復旧装置２４Ａを選択する。この後、処理部１４は、選択した自動復旧装置に設定されている自動復旧条件を、通信部２７が電気所から受信した受信データにより調べる（ステップＳ１５）。具体的には、自動復旧装置のスイッチ位置が「受電端」側に切り替えられているか、「送電端」側に切り替えられているかにより、自動復旧装置に設定されている自動復旧条件を調べる。ステップＳ１４で選択した自動復旧装置が自動復旧装置２４Ａである場合、処理部１４は、自動復旧装置２４Ａのスイッチ位置から、自動復旧装置２４Ａに設定されている自動復旧条件を調べる。この後、処理部１４は、ステップＳ１５で調べた自動復旧条件が送電条件であるかどうかを判定する（ステップＳ１６）。
【００３９】
処理部１４は、ステップＳ１６で、自動復旧条件が送電条件であると判定すると、ステップＳ１２で抽出した遮断器の中に未選択のものがあるかどうかを判定する（ステップＳ１７）。未選択の遮断器があると、処理部１４は、未選択の遮断器から１つを選び（ステップＳ１８）、処理をステップＳ１４に戻す。
【００４０】
ステップＳ１６で、自動復旧装置に設定されている自動復旧条件が送電条件でなければ、送電側の自動復旧装置に設定されている条件が不適切であるので、処理部１４は、自動復旧装置に設定されている条件のエラーを表すメッセージを出力し（ステップＳ１９）、続いてステップＳ１７の処理を行う。ステップＳ１９でのメッセージの出力は、表示部１３によるエラーメッセージの表示や、系統運用者が所持する携帯端末へのエラーメッセージの送信がある。系統運用者が所持する携帯端末へエラーメッセージを送信することにより、系統運用者が支援装置１０から離れた所にいても、警報が出たことを知らせることができる。
【００４１】
こうしたステップＳ１１〜Ｓ１９の処理により、超高圧変電所の自動復旧装置に対して設定されている条件が、適切であるかどうかのチェックが行われる。
【００４２】
一方、ステップＳ１７で電源側にある遮断器の中に未選出のものがなければ、処理部１４は、ステップＳ２で選択した潮流の上流側にある別の電気所を選択する（ステップＳ２１）。ステップＳ２１で、処理部１４は、例えば、潮流図が図３である場合、ステップＳ２で選択した潮流が潮流Ｆ１であると、超高圧変電所Ａ１からの送電線に接続されている変電所Ｂ１を選択する。この後、処理部１４は、ステップＳ２１で選択した電気所に設置されている遮断器を、設備データを基に全て抽出する（ステップＳ２２）。潮流図が図３である場合、例えばステップＳ２１で変電所Ｂ１が選択されると、処理部１４は変電所Ｂ１の遮断器２１Ａ、２１Ｂおよび遮断器２２Ａ、２２Ｂを抽出する。この後、処理部１４は、ステップＳ２１で選択した電気所に対する潮流から、受電端側にある遮断器を、ステップＳ２２で抽出した遮断器の中から選択する（ステップＳ２３）。例えば電気所が変電所Ｂ１である場合、受電端側に位置する遮断器２１Ａが選択される。
【００４３】
この後、処理部１４は、ステップＳ２３で抽出した遮断器を自動復旧するための自動復旧装置を設備データから選択する（ステップＳ２４）。例えば、ステップＳ２１で選択した電気所が変電所Ｂ１である場合、処理部１４は、該当する自動復旧装置として、自動復旧装置２３Ａを選択する。この後、処理部１４は、選択した自動復旧装置に設定されている自動復旧条件を、通信部２７が電気所から受信した受信データにより調べる（ステップＳ２５）。ステップＳ２４で選択した自動復旧装置が自動復旧装置２３Ａである場合、処理部１４は、自動復旧装置２３Ａのスイッチ位置から、自動復旧装置２３Ａに設定されている自動復旧条件を調べる。この後、処理部１４は、ステップＳ２５で調べた自動復旧条件が受電条件であるかどうかを判定する（ステップＳ２６）。
【００４４】
処理部１４は、ステップＳ２６で、自動復旧条件が受電条件であると判定すると、受電端側にある遮断器の中に未選択のものがあるかどうかを判定する（ステップＳ２７）。未選択の遮断器があると、処理部１４は、受電端側にある未選択の遮断器から１つを選び（ステップＳ２８）、処理をステップＳ２４に戻す。
【００４５】
ステップＳ２６で、自動復旧装置に設定されている自動復旧条件が受電条件でなければ、受電端側の自動復旧装置に設定されている条件が不適切であるので、処理部１４は、自動復旧装置に設定されている条件のエラーを表すメッセージを出力し（ステップＳ２９）、続いてステップＳ２７の処理を行う。
【００４６】
こうしたステップＳ２１〜Ｓ２９の処理により、変電所の受電端側の自動復旧装置に対して設定されている条件が、適切であるかどうかのチェックが行われる。
【００４７】
一方、ステップＳ２７で受電端側にある遮断器の中に未選出のものがなければ、処理部１４は、ステップＳ２１で選択した電気所の潮流から送電端側にある遮断器を、ステップＳ２２で抽出した遮断器の中から選択する（ステップＳ３１）。例えば電気所が変電所Ｂ１である場合、送電端側に位置する遮断器２２Ａが選択される。
【００４８】
この後、処理部１４は、ステップＳ３１で抽出した遮断器を自動復旧するための自動復旧装置を設備データから選択する（ステップＳ３２）。例えば、ステップＳ２１で選択した電気所が変電所Ｂ１である場合、遮断器が遮断器２２Ａであるとき、処理部１４は、該当する自動復旧装置として、自動復旧装置２４Ａを選択する。この後、処理部１４は、選択した自動復旧装置に設定されている自動復旧条件を、通信部２７が電気所から受信した受信データにより調べる（ステップＳ３３）。ステップＳ３２で選択した自動復旧装置が自動復旧装置２４Ａである場合、処理部１４は、この自動復旧装置２４Ａに設定されている自動復旧条件を調べる。この後、処理部１４は、ステップＳ３３で調べた自動復旧条件が送電条件であるかどうかを判定する（ステップＳ３４）。
【００４９】
処理部１４は、ステップＳ３４で、自動復旧条件が送電条件であると判定すると、送電端側にある遮断器の中に未選択のものがあるかどうかを判定する（ステップＳ３５）。未選択の遮断器があると、処理部１４は、送電端側にある未選択の遮断器から１つを選び（ステップＳ３６）、処理をステップＳ３４に戻す。
【００５０】
ステップＳ３４で、自動復旧装置に設定されている自動復旧条件が送電条件でなければ、送電端側の自動復旧装置に設定されている条件が不適切であるので、処理部１４は、自動復旧装置に設定されている条件のエラーを表すメッセージを出力し（ステップＳ３７）、続いてステップＳ３５の処理を行う。
【００５１】
ステップＳ３５で送電端側にある遮断器の中に未選択のものがなければ、処理部１４は、ステップＳ２で選択した潮流に沿った電気所の中に、未選択の電気所があるかどうかを判定する（ステップＳ３８）。ステップＳ３８で未選択の電気所があると、処理部１４は潮流に沿った次の電気所を選択し（ステップＳ３９）、処理をステップＳ２２に戻す。例えば潮流が潮流Ｆ１である場合、現在選択されている電気所が変電所Ｂ１であるとき、処理部１４は、潮流に沿った次の変電所Ｃ１を選択する。
【００５２】
こうしたステップＳ３１〜Ｓ３９の処理により、変電所の送電端の自動復旧装置に対して設定されている条件が、適切であるかどうかのチェックが行われる。
【００５３】
一方、ステップＳ３８で未選択の電気所がなければ、処理部１４は条件判定処理を終了し、復旧支援処理のステップＳ５の処理を行う。
【００５４】
次に、この実施の形態による自動復旧支援システムの作用について説明する。制御所に設置されている支援装置１０はデータ収集処理を行い、超高圧変電所Ａ１〜Ａｎおよび変電所Ｂ１〜Ｄｎから最新のデータを受信し、受信データを潮流図に反映する。このタイミングで、処理部１４は復旧支援処理を行い、超高圧変電所Ａ１〜Ａｎおよび変電所Ｂ１〜Ｄｎに設置されている自動復旧装置の設定を調べる。つまり、潮流図による潮流に沿った変電所での受電端側および送電端側の遮断器に対応する自動復旧装置を調べ、この自動復旧装置に設定されている自動復旧条件（送電条件・受電条件）が適切であるかどうかを、変電所に対する潮流を基に、つまり、変電所の母線に設けられている送電線の潮流により判定する。そして、支援装置１０は、自動復旧装置に設定されている条件が不適切であると、エラーを表すメッセージを出力する。
【００５５】
このとき、支援装置１０は、エラーメッセージを表示部１３に表示し、また、系統運用者が所持する携帯端末にエラーメッセージを送信する。これにより、支援装置１０は、系統運用者に対して、自動復旧装置に設定されている自動復旧条件が不適切であることを知らせることができる。
【００５６】
さらに、潮流が放射系統であると、支援装置１０は、復旧支援処理により、超高圧変電所Ａ１〜Ａｎの自動復旧装置に対する送電側の設定から始まり、潮流に沿った各変電所では受電端、送電端の設定の順に推移し、負荷端側の変電所では受電端の設定で終わるという、正常に推移する各設定を確認することができる。
【００５７】
この実施の形態によれば、自動復旧装置に対する送電端や受電端の設定が適切であるかどうかを、変電所の母線に設けられている送電線の潮流を基にして判別することができる。これにより、自動復旧装置に対する設定操作の誤認による誤操作や操作忘れ、自動復旧装置の試験時のスイッチの戻し忘れといったヒューマンエラーを防止することを可能にする。また、この実施の形態によれば、電源端から負荷端に至る、全ての経路の潮流を基に、各電気所の自動復旧装置の設定を調べるので、電力系統の全体の自動復旧装置について、設定が適切かどうかをチェックすることができる。
【００５８】
（実施の形態２）
先に述べた実施の形態では、自動復旧装置に対する設定が不適切である場合には、支援装置１０は、エラーメッセージの表示や、系統運用者が所持する携帯端末へのエラーメッセージの送信を行った。この実施の形態では、支援装置１０は次のようにしている。なお、この実施の形態では、先に説明した実施の形態１と同一もしくは同一と見なされる構成要素には、それと同じ参照符号を付けて、その説明を省略する。
【００５９】
この実施の形態による支援装置１０では、処理部１４は、自動復旧装置に対する設定が不適切であると判定すると、通信部１１を制御し、この自動復旧装置に向けて、スイッチ切り替え信号を送信する。この自動復旧装置を備える変電所では、通信部２７がスイッチ切り替え信号を受信すると、該当する自動復旧装置に対してスイッチ切り替え信号を送る。これにより、この自動復旧装置は、設定用のスイッチを切り替える。
【００６０】
こうして、この実施の形態によれば、自動復旧装置に対する設定が不適切である場合には、設定用のスイッチを遠方から自動で切り替えることができる。
【産業上の利用可能性】
【００６１】
この発明には次の利用可能性がある。先に述べた各実施の形態では、電源端から負荷端に至る各潮流に沿った電気所について、自動復旧装置の設定の良否を判定したが、配電線についても遮断器が設けられているので、配電線に対してこの発明が応用可能である。
【符号の説明】
【００６２】
１０  支援装置
１１  通信部
１２  入力部
１３  表示部
１４  処理部
１５  記憶部
２１Ａ、２１Ｂ、２２Ａ、２２Ｂ  遮断器
２３Ａ、２３Ｂ、２４Ａ、２４Ｂ  自動復旧装置
２５Ａ、２５Ｂ、２６Ａ、２６Ｂ  検出部
２７  通信部
Ａ１〜Ａｎ  超高圧変電所
Ｂ１〜Ｄｎ  変電所
【図１】
2013187952.tif 000003
【図２】
2013187952.tif 000004
【図３】
2013187952.tif 000005
【図４】
2013187952.tif 000006
【図５】
2013187952.tif 000007
【図６】
2013187952.tif 000008
【図７】
2013187952.tif 000009
【図８】
2013187952.tif 000010